(57)【要約】【課題】圧縮画像の画質劣化部分を視覚上目立つように表示させる。【解決手段】圧縮処理回路３は、蓄積メモリ１から読み出された入力画像を圧縮し、その結果得られた圧縮画像を、伸張処理回路４に供給する。伸張処理回路４は、圧縮処理回路３から供給された圧縮画像を伸張し、その結果得られた伸張画像を、画像処理回路５に供給する。画像処理回路５には、伸張処理回路４から供給された伸張画像の元となった元画像が蓄積メモリ１から読み出されて入力される。画像処理回路５は、元画像と伸張画像を比較し、その比較結果に応じて、伸張画像に対して所定の処理を施し、スイッチ７を介して、図示せぬ表示装置に出力し、表示させる。【選択図】図１
2008072595.tif 000002
【特許請求の範囲】
【請求項１】
圧縮対象の画像を入力する入力手段と、
前記入力手段により入力された入力画像と、前記入力画像が圧縮された結果得られた圧縮画像が伸張された結果得られた伸張画像を比較する比較手段と、
前記比較手段による比較結果に基づいて、前記伸張画像の所定の画素の画素値を、所定の値に変更する画像処理手段と、
前記変更手段により画素値が変更された前記伸張画像を表示させる表示手段と
を備える表示制御装置。
【請求項２】
前記比較手段は、前記入力画像と前記伸張画像の対応する画素の画素値の差分量を算出し、
前記画像処理手段は、前記伸張画像の、前記差分量が所定の基準値を超える画素の画素値を、所定の置換値に置き換える
請求項１に記載の表示制御装置。
【請求項３】
前記比較手段は、前記入力画像と前記伸張画像の対応する画素の輝度値若しくは色差値の差分量、または輝度値および色差値の両方を差分量を算出し、
前記画像処理手段は、前記伸張画像の、前記差分量が所定の基準値を超える画素の輝度値若しくは色差値、または輝度値および色差値の両方を、所定の置換値に置き換える
請求項２に記載の表示制御装置。
【請求項４】
圧縮対象の画像を入力する入力ステップと、
前記入力ステップにより入力された入力画像と、前記入力画像が圧縮された結果得られた圧縮画像が伸張された結果得られた伸張画像を比較する比較ステップと、
前記比較ステップでの比較結果に基づいて、前記伸張画像の所定の画素の画素値を、所定の値に変更する画像処理ステップと、
前記変更ステップの処理で画素値が変更された前記伸張画像を表示させる表示ステップと
を含む表示制御方法。
【請求項５】
画像の表示を制御する表示制御処理をコンピュータに実行させるプログラムにおいて、
圧縮対象の画像を入力する入力ステップと、
前記入力ステップにより入力された入力画像と、前記入力画像が圧縮された結果得られた圧縮画像が伸張された結果得られた伸張画像を比較する比較ステップと、
前記比較ステップでの比較結果に基づいて、前記伸張画像の所定の画素の画素値を、所定の値に変更する画像処理ステップと、
前記変更ステップの処理で画素値が変更された前記伸張画像を表示させる表示ステップと
を含む処理をコンピュータに実行させるプログラム。
【発明の詳細な説明】
【技術分野】
【０００１】
表示制御装置、表示制御方法、およびプログラム
【０００２】
本発明は、表示制御装置、表示制御方法、およびプログラムに関し、入力画像の圧縮画像の画質が強調されるように圧縮画像に対応する画像を表示することができる表示制御装置、表示制御方法、およびプログラムに関する。
【背景技術】
【０００３】
光ディスク等のパッケージメディアを作成するために、記録メディアに記録するビデオデータやオーディオデータ等の素材を、データ圧縮するデータ圧縮装置が存在する（例えば、特許文献１）。
【０００４】
【特許文献１】特開平10-66067号公報
【発明の開示】
【発明が解決しようとする課題】
【０００５】
ところで、このデータ圧縮装置で圧縮された圧縮データを実際に記録メディアに記録する前に、通常、データ圧縮による画質劣化を確認するために、一度圧縮された圧縮画像を伸張し表示して、オペレータが、その表示画像を見て、画質状態を確認することが行われている。
【０００６】
圧縮画像の解像度が、例えばSD（Standard Definition）であれば、オペレータは容易に、その表示画像から画質の劣化部分を見つけ出すことができるが、圧縮画像がHD（High Definition）以上の高精細画像である場合、表示画像から画質劣化部分を見つけ出すことは容易ではなく、ある程度の経験が必要となる。
【０００７】
すなわち、従来においては、圧縮画像が高精細な画像である場合、オペレータが、画質劣化部分を容易に見つけ出すことができなかった。
【０００８】
本発明は、このような状況に鑑みてなされたものであり、圧縮画像の画質劣化部分が強調されるように圧縮画像に対応する画像を表示することができるようにするものである。
【課題を解決するための手段】
【０００９】
本発明の一側面の表示制御装置は、
圧縮対象の画像を入力する入力手段と、
前記入力手段により入力された入力画像と、前記入力画像が圧縮された結果得られた圧縮画像が伸張された結果得られた伸張画像を比較する比較手段と、
前記比較手段による比較結果に基づいて、前記伸張画像の所定の画素の画素値を、所定の値に変更する画像処理手段と、
前記変更手段により画素値が変更された前記伸張画像を表示させる表示手段と
を備える。
【００１０】
前記比較手段は、前記入力画像と前記伸張画像の対応する画素の画素値の差分量を算出し、
前記画像処理手段は、前記伸張画像の、前記差分量が所定の基準値を超える画素の画素値を、所定の置換値に置き換えることができる。
【００１１】
前記比較手段は、前記入力画像と前記伸張画像の対応する画素の輝度値若しくは色差値の差分量、または輝度値および色差値の両方を差分量を算出し、
前記画像処理手段は、前記伸張画像の、前記差分量が所定の基準値を超える画素の輝度値若しくは色差値、または輝度値および色差値の両方を、所定の置換値に置き換えることができる。
【００１２】
本発明の一側面の表示制御方法、またはプログラムは、
圧縮対象の画像を入力する入力ステップと、
前記入力ステップにより入力された入力画像と、前記入力画像が圧縮された結果得られた圧縮画像が伸張された結果得られた伸張画像を比較する比較ステップと、
前記比較ステップでの比較結果に基づいて、前記伸張画像の所定の画素の画素値を、所定の値に変更する画像処理ステップと、
前記変更ステップの処理で画素値が変更された前記伸張画像を表示させる表示ステップと
を含む。
【００１３】
本発明の一側面の表示制御装置、表示制御方法、またはプログラムにおいては、
圧縮対象の画像が入力され、
入力された入力画像と、前記入力画像が圧縮された結果得られた圧縮画像が伸張された結果得られた伸張画像が比較され、
その比較結果に基づいて、前記伸張画像の所定の画素の画素値が、所定の値に変更され、
画素値が変更された前記伸張画像が表示される。
を含む。
【発明の効果】
【００１４】
本発明は、このような状況に鑑みてなされたものであり、例えば、圧縮画像の画質劣化部分が強調されるように圧縮画像に対応する画像を表示することができる。
【発明を実施するための最良の形態】
【００１５】
以下に本発明の実施の形態を説明するが、本発明の構成要件と、明細書又は図面に記載の実施の形態との対応関係を例示すると、次のようになる。この記載は、本発明をサポートする実施の形態が、明細書又は図面に記載されていることを確認するためのものである。従って、明細書又は図面中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００１６】
本発明の一側面の表示御製装置は、
圧縮対象の画像を入力する入力手段（例えば、図１の蓄積メモリ１）と、
前記入力手段により入力された入力画像と、前記入力画像が圧縮された結果得られた圧縮画像が伸張された結果得られた伸張画像を比較する比較手段（例えば、図１の画像処理回路５）と、
前記比較手段による比較結果に基づいて、前記伸張画像の所定の画素の画素値を、所定の値に変更する画像処理手段（例えば、図１の画像処理回路５）と、
前記変更手段により画素値が変更された前記伸張画像を表示させる表示手段（例えば、図１の表示画像制御部８）と
を備える。
【００１７】
前記比較手段は、前記入力画像と前記伸張画像の対応する画素の画素値の差分量を算出し（例えば、図３Ａと図３Ｂ）、
前記画像処理手段は、前記伸張画像の、前記差分量が所定の基準値を超える画素の画素値を、所定の置換値に置き換えることができる（例えば、図３Ｃ）。
【００１８】
前記比較手段は、前記入力画像と前記伸張画像の対応する画素の輝度値若しくは色差値の差分量、または輝度値および色差値の両方を差分量を算出し（例えば、図３Ａと図３Ｂ）、
前記画像処理手段は、前記伸張画像の、前記差分量が所定の基準値を超える画素の輝度値若しくは色差値、または輝度値および色差値の両方を、所定の置換値に置き換えることができる（例えば、図３Ｃ）。
【００１９】
本発明の一側面の表示制御方法、またはプログラムは、
圧縮対象の画像を入力する入力ステップ（例えば、図１の蓄積メモリ１の処理）と、
前記入力ステップの処理で入力された入力画像と、前記入力画像が圧縮された結果得られた圧縮画像が伸張された結果得られた伸張画像を比較する比較ステップ（例えば、図２のステップＳ２）と、
前記比較ステップでの比較結果に基づいて、前記伸張画像の所定の画素の画素値を、所定の値に変更する画像処理ステップ（例えば、図２のステップＳ３およびステップＳ４）と、
前記変更ステップの処理で画素値が変更された前記伸張画像を表示させる表示ステップ（例えば、図１の表示画像制御部８の処理）と
を含む。
【００２０】
図１は、本発明を適用したデータ圧縮装置の構成例を示している。
【００２１】
蓄積メモリ１には、このデータ圧縮装置に供給された圧縮対象となる入力画像が入力され、蓄積メモリ１は、入力された入力画像を、例えばフレーム単位で、一時的に記憶する。
【００２２】
蓄積メモリ１は、記憶している入力画像を、読み出し制御部２の制御に従って、例えばフレーム単位で読み出して、圧縮処理回路３または画像処理回路５に供給する。
【００２３】
圧縮処理回路３は、蓄積メモリ１から読み出された入力画像を、例えばMPEG（Moving Picture Expert Group）の規格に準拠して圧縮し、その結果得られた圧縮画像を、外部に出力したり、伸張処理回路４に供給する。
【００２４】
伸張処理回路４は、圧縮処理回路３から供給された圧縮画像を、例えばMPEGの規格に準拠して伸張し、その結果得られた伸張画像を、画像処理回路５とスイッチ７に供給する。
【００２５】
画像処理回路５には、伸張処理回路４から供給された伸張画像の元となった入力画像（以下、元画像と称する）が蓄積メモリ１から読み出されて入力される。
【００２６】
例えば蓄積メモリ１から読み出された１フレームの入力画像が圧縮処理回路３に供給され、そこで圧縮されて伸張処理回路４に供給され、そこで伸張されて画像処理回路５に入力される間に、蓄積メモリ１に、１０フレーム分の入力画像が入力される場合、読み出し制御部２は、蓄積メモリ１から画像処理回路５への入力画像の読み出しを、１０フレームの入力時間分遅延して行わせる。このように蓄積メモリ１から画像処理回路５への読み出しを制御することにより、画像処理回路５には、元画像と、その元画像から得られた伸張画像（以下、対象伸張画像と称する）が入力される。
【００２７】
画像処理回路５は、画像処理制御部６の制御に従って、蓄積メモリ１から読み出されて入力された元画像と、伸張処理回路４からの対象伸張画像を比較し、その比較結果に応じて、対象伸張画像に対して所定の処理を施す。
【００２８】
例えば画像処理回路５は、元画像と対象伸張画像の対応する各画素毎に、画素値の差分を取り、所定の基準値を超えた差分量が得られた対象伸張画像の画素の画素値の値を、所定の置換値に置き換える。この処理の詳細は後述する。
【００２９】
画像処理回路５は、所定の処理を施した対象伸張画像を画像表示切替スイッチ７に供給する。
【００３０】
画像表示切替スイッチ７は、表示画像制御部８からの指示に従い、画像処理回路５から供給される所定の処理が施された伸張画像、または伸張処理回路４から供給された伸張画像を選択し、図示せぬ表示装置に出力し、表示させる。
【００３１】
次に、画像処理回路５の動作を、図２のフローチャートを参照して説明する。
【００３２】
ステップＳ１において、画像処理回路５は、元画像と対象伸張画像から、対応する１組の画素の画素値を読み取る。
【００３３】
ステップＳ２において、画像処理回路５は、ステップＳ１で読み取った元画像の画素と、対象伸張画像の画素の画素値の差分量を算出し、ステップＳ３において、その差分量が、所定の基準値以上であるか否かを判定する。
【００３４】
ステップＳ３で、差分量が基準値以上であると判定した場合、ステップＳ４に進み、画像処理回路５は、ステップＳ１で読み取った、対象伸張画像の画素の画素値を、所定の置換値に置き換え、ステップＳ５に進む。
【００３５】
ステップＳ３で、差分量が基準値より小さいと判定されたとき、ステップＳ４の処理はスキップされ、すなわち対象伸張画像の画素の画素値が置換値に置き換えられることなく、ステップＳ５に進む。
【００３６】
ステップＳ５において、画像処理回路５は、元画像と対象伸張画像のすべての画素について、ステップＳ１乃至ステップＳ４の処理を行ったか否かを判定し、まだ処理していない画素が残っていると判定した場合、ステップＳ１に戻り、次の画素の画素値を読み取って、ステップＳ２以降の処理を同様に実行する。
【００３７】
ステップＳ５で、すべての画素に対して処理を行ったと判定された場合、処理は終了する。
【００３８】
このステップＳ１乃至ステップＳ５の処理が入力画像と伸張画像の各フレームに対して繰り返し行われる。
【００３９】
以上のように、元画像との対比において、一定量の差分量がある対象伸張画像の画素は、画質が劣化していると考えられるので、そのような画素の画素値を所定の置換値に置き換えることによって、その画素の部分を、他の画素部分（画質が劣化していない部分）との対比において強調されるように（すなわち、視覚上目立つように）伸張画像を表示させることができる。その結果オペレータは、伸張画像に対応する表示画像から、画質が劣化している部分を容易に見つけ出すことができる。
【００４０】
次に、上述した画像処理回路５における画像処理を、具体例に基づいて説明する。
【００４１】
例えば、元画像と対象伸張画像の各画素の色差値を比較し、所定の基準値（例えば、8'h0F）を超える差分量が得られた対象伸張画像の画素の色差値を、所定の置換値（例えば、8'h10）に置き換えることができる。
【００４２】
この例において、例えば、図３Ａにその画素値が示されている画素を含む元画像と、元画像の図３Ａに示された画素に対応する画素であって、図３Ｂにその画素値が示されている画素を含む対象伸張画像が画像処理回路５に供給された場合、元画像の図３Ａ中斜線が付されている画素と、対象伸張画像の図３Ｂ中斜線が付されている画素の色差値の差分量が基準値である8'h0F以上となるので、対象伸張画像の図３Ｂ中斜線が付されている画素の色差値が、図３Ｃに示すように、置換値である8'h10に置き換えられる。
【００４３】
このように画質が劣化している画素の色差値を、所定の置換値に置き換えるようにしたので、その部分は一定の色合いをもって表示されるので、他の画素との対比において強調されて表示される。
【００４４】
なお図３の各格子は、１画素に対応しており、各格子内に示される英数字の「8'h××」は、８ビットのヘキサデシマルが「××」であることを意味し、その上段の８ビットのヘキサデシマルは、輝度値を表し、下段の８ビットのヘキサデシマルは、色差値を表している。他の図においても同様である。
【００４５】
このように元画像との対比において、一定以上の差分量が得られる対象伸張画像の画素の画素値を、例えば、その差分量がさらに大きくなる画素値に置き換えることで、その伸張画像を表示したとき、元画像との対比において一定以上の差分が生じていた画素の部分（すなわち、画質が劣化している部分）を視覚上強調して表示することができる。
【００４６】
また、元画像と対象伸張画像の各画素の輝度値を比較し、所定の基準値（例えば、8'h0F）を超える差分量が得られた対象伸張画像の画素の輝度値を、所定の置換値（例えば、8'h10）に置き換えることができる。
【００４７】
この例において、例えば、図４Ａにその画素値が示されている画素を含む元画像と、元画像の図４Ａに示された画素に対応する画素であって、図４Ｂにその画素値が示されている画素を含む対象伸張画像が画像処理回路５に供給された場合、元画像の図４Ａ中影が付されている画素と、対象伸張画像の図４Ｂ中影が付されている画素の輝度値の差分量が基準値である8'h0F以上となるので、対象伸張画像の図４Ｂ中影が付されている画素の輝度値が、図４Ｃに示すように、置換値である8'h10に置き換えられる。
【００４８】
このように画質が劣化している画素の輝度値を、所定の置換値に置き換えるようにしたので、その部分は一定の明るさをもって表示されるので、他の画素との対比において強調して表示される。
【００４９】
また元画像と対象伸張画像の各画素の輝度値と色差値の両方を比較し、輝度値と色差値の差分量が共に所定の基準値（例えば、共に8'h0F）を超える対象伸張画像の画素の輝度値を所定の置換値（例えば、8'h10）に、そしてその画素の色差値を所定の置換値（例えば、8'hFO）にそれぞれ置き換えることができる。
【００５０】
この例において、例えば、図５Ａにその画素値が示されている画素を含む元画像と、元画像の図５Ａに示された画素に対応する画素であって、図５Ｂにその画素値が示されている画素を含む対象伸張画像が画像処理回路５に供給された場合、元画像の図５Ａ中影が付されている画素と、対象伸張画像の図５Ｂ中影が付されている画素の輝度値と色差値の差分量がともに基準値である8'h0F以上となるので、対象伸張画像の図５Ｂ中影が付されている画素の輝度値と色差値が、図５Ｃに示すように、それぞれ8'h10と8'hFOに置き換えられる。
【００５１】
このように色差値と輝度値の両方を比較するようにしたので、より正確に画質が劣化している画素を検出することができるとともに、その画素の色差値と輝度値を、所定の置換値に置き換えるようにしたので、その部分は一定の色合いをもって、かつ一定の明るさをもって表示されるので、他の画素との対比においてより強調して表示される。
【００５２】
また元画像と対象伸張画像の各画素の輝度値を比較し、所定の基準値（例えば、8'h0F）を超える輝度値の差分量が得られた対象伸張画像の画素の色差値を、所定の置換値（例えば、8'hF0）に置き換えることができる。
【００５３】
この例において、例えば、図６Ａにその画素値が示されている画素を含む元画像と、元画像の図６Ａに示された画素に対応する画素であって、図６Ｂにその画素値が示されている画素を含む対象伸張画像が画像処理回路５に供給された場合、元画像の図６Ａ中影が付されている画素と、対象伸張画像の図６Ｂ中影が付されている画素の輝度値の差分量が基準値である8'h0F以上となるので、対象伸張画像の図６Ｂ中影が付されている画素の色差値が、図６Ｃに示すように、それぞれ置換値である8'hFOに置き換えられる。
【００５４】
この例では、輝度値が比較され、その比較結果に基づいて、色差値が変更されるようになされている。
【００５５】
また元画像と対象伸張画像の各画素の輝度値と色差値の両方を比較し、輝度値と色差値の差分量が共に所定の基準値（例えば、共に8'h0F）を超える対象伸張画像の画素の輝度値と色差値を、対象伸張画像の画素値が置き換えられる画素に対応する元画像上の画素と所定の位置関係にある画素の画素値から求められた値に置き換えることができる。
【００５６】
この例において、例えば、図７Ａにその画素値が示されている画素を含む元画像と、元画像の図７Ａに示された画素に対応する画素であって、図７Ｂにその画素値が示されている画素を含む対象伸張画像が画像処理回路５に供給された場合、元画像の図７Ａ中影が付されている画素と、対象伸張画像の図７Ｂ中影が付されている画素の輝度値と色差値の差分量がともに基準値である8'h0F以上となるので、対象伸張画像の図７Ｂ中影が付されている画素の輝度値と色差値が、元画像の図７Ａに示す枠Ｗに囲まれている、対象伸張画像の図７Ｂ中影が付されている画素に対応する画素を中心とする３×３の画素の輝度値と色差値のそれぞれの平均値（例えば、輝度値の平均値＝8'h94（＝8'hA8＋8'h9E＋8'h91＋8'hA3＋8'h94＋8'h8A＋8'h9D＋8'h89＋8'h7E）÷9）に対して相対的に反対の値である8'h10と8'h10に置き換えられる。
【００５７】
図７Ａと図７Ｂの例では、さらに、元画像の図８Ａ中影が付されている画素と、対象伸張画像の図８Ｂ中影が付されている画素の輝度値と色差値の差分量がともに8'h0F以上となるので、上述したようにして、図８Ｃに示すように、対象伸張画像の図８Ｂ中影が付されている画素の画素値が、元画像の、対象伸張画像の図８Ｂ中影が付されている画素に対応する図８Ａの画素を中心とする３×３の画素の輝度値と色差値のそれぞれの平均値に対して相対的に反対の値に置き換えられる。
【００５８】
このように、画質が劣化している画素の画素値を、その画素に対応する元画像の所定の範囲の画素の画素値に基づくものとするようにしたので、画質が劣化していない画素との対比において、より強調して表示することができる。
【００５９】
元画像と対象伸張画像の各画素の輝度値と色差値の両方を比較し、対象伸張画像の所定範囲毎の画素について、所定の基準値（例えば、8'h0F）を超える輝度値と色差値の差分量が得られた画素が所定の数以上ある場合、対象伸張画像のその範囲の画素の画素値を、所定の値に置き換えることができる。
【００６０】
この例において、例えば、図９Ａにその画素値が示されている画素を含む元画像と、元画像の図９Ａに示された画素に対応する画素であって、図９Ｂにその画素値が示されている画素を含む対象伸張画像が画像処理回路５に供給されるものとし、図９Ｂの太線の枠の範囲に示すような２×２の範囲内の画素について、基準値を超える画素が２個以上あるとき、その範囲の画素の画素値が、その範囲に対応する画像領域に「×」の模様が表示されるものに置き換えられる。
【００６１】
この場合、元画像の図９Ａ中影が付されている画素と、対象伸張画像の図９Ｂ中影が付されている画素の輝度値と色差値の差分量がともに基準値である8'h0F以上となり、図９Ｂに示される範囲Ｗには、基準値を超える差分量が得られる画素が２個存在するので、その範囲Ｗの各画素の画素値は、図９Ｃに示すように、その範囲Ｗに対応する画像領域に「×」の模様が表示されるような画素値に置き換えられる。
【００６２】
また元画像と対象伸張画像の各画素の輝度値と色差値の両方を比較し、対象伸張画像の、輝度値と色差値の差分量がともに所定の基準値（例えば、ともに8'h0F）を超える画素以外の画素の画素値を、所定の画素値に置き換えることができる。
【００６３】
この例において、例えば、図１０Ａにその画素値が示されている画素を含む元画像と、元画像の図１０Ａに示された画素に対応する画素であって、図１０Ｂにその画素値が示されている画素を含む対象伸張画像が画像処理回路５に供給された場合、元画像の図１０Ａ中影が付されている画素と、対象伸張画像の図１０Ｂ中影が付されている画素の輝度値と色差値の差分量がともに基準値である8'h0F以上となるので、対象伸張画像の図１０Ｂ中影が付されている画素以外の画素の輝度値と色差値が、図１０Ｃに示すように、置換値である8'h7Eと8'h80に置き換えられる。その結果、対象伸張画像の図１０Ｃ中影が付されている画素以外の画素部分がグレーの色で表示されるようになる。
【００６４】
また元画像と対象伸張画像の各画素の輝度値を比較するが、対象伸張画像の各画素が、その差分量に応じた色で表示されるように、対象伸張画像の各画素の画素値を置き換えることができる。
【００６５】
この例において、例えば、図１１Ａにその画素値が示されている画素を含む元画像と、元画像の図１１Ａに示された画素に対応する画素であって、図１１Ｂにその画素値が示されている画素を含む対象伸張画像が供給された場合、対象伸張画像の各画素が、図１１Ｃに示すように、その輝度値の差分量に応じた色で表示されるような画素値に置き換えられる。
【００６６】
すなわち図１１Ｃに示すような画素値を有する画素は、図１２の格子上に付された文言で示されている色で表示されるようになる。
【００６７】
なお上述した図３乃至図１２の例は、一例であり、画質が劣化している部分を主観的に認識し易い方法であれば、例えば、画質が劣化している部分を示す矢印を表示する方法等も適用することができる。
【００６８】
また上述した図３乃至図１２の例では、画質が劣化している部分が強調されて表示されるように伸張画像を加工するものであったが、例えば２パスエンコード方式によるエンコード処理を行う場合において、図１３に示すように、表示部５１に表示されるそのとき得られた符号化の難易度と、表示部５２に表示されるGOPのビットレートに対応させて、表示部５３に入力画像と伸張画像が表示されている所定の画面を表示させることができる。画質の劣化傾向は、難易度とGOPレートと対応することが知られているので、このように差分量を、難易度とGOPレートと対応させて表示することにより、オペレータは、どの部分が画質劣化しているかを容易に把握できるようになる。
【００６９】
なお２パスエンコード方式とは、例えばMPEGの規格に準拠して、入力素材を一旦固定の量子化ステップでエンコードし、そのとき発生する符号量を、符号化の難易度として取得し、その難易度に基づいて本番のエンコード時に発生する目標データ量を決定し、その目標データ量が発生する量子化ステップで本番のエンコードを行う方法である。
【００７０】
また、以上においては、表示画像制御部８における制御内容については、具体的に示さなかったが、例えば、入力画像と伸張画像の対応する画素の画素値の差分量に応じて画素の画素値が所定の置換値に置き換えられた伸張画像と入力画像とを目視して見比べられることができるように、表示画像を制御することができる。
【００７１】
例えば、入力画像と伸張画像とが表示装置に並べて表示される場合において、伸張画像を表示する表示部には、伸張画像と、差分量が所定の基準値を超えた画素の画素値を所定の置換値に置き換えられた伸張画像とが切り換えられて表示されるようにすることもできる。このように表示することにより、伸張画像の中で、入力画像と伸張画像の対応する画素の画素値の差分量が所定の基準値を超える箇所を容易に特定し、実際に目視して見比べることができるようになる。
【００７２】
また、入力画像と伸張画像とが表示装置に並べて表示される場合において、それぞれ入力画像と伸張画像の対応する画素の画素値の差分量が所定の基準値を超える箇所の入力画像と伸張画像とを表示させることもできる。さらに、このときそれぞれの画像を拡大して表示することもできる。このように表示することにより、入力画像と伸張画像の対応する画素の画素値の差分量が所定の基準値を超える箇所をオーサリングを行う者に提示し、簡便に目視して確認することができるようになる。
【００７３】
次に、上述した一連の処理は、ハードウェアにより行うこともできるし、ソフトウェアにより行うこともできる。一連の処理をソフトウェアによって行う場合には、そのソフトウェアを構成するプログラムが、汎用のコンピュータ等にインストールされる。
【００７４】
そこで、図１４は、上述した一連の処理を実行するプログラムがインストールされるコンピュータの一実施の形態の構成例を示している。
【００７５】
プログラムは、コンピュータに内蔵されている記録媒体としてのハードディスク１０５やROM１０３に予め記録しておくことができる。
【００７６】
あるいはまた、プログラムは、フレキシブルディスク、CD-ROM(Compact Disc Read Only Memory)，MO(Magneto Optical)ディスク，DVD(Digital Versatile Disc)、磁気ディスク、半導体メモリなどのリムーバブル記録媒体１１１に、一時的あるいは永続的に格納（記録）しておくことができる。このようなリムーバブル記録媒体１１１は、いわゆるパッケージソフトウエアとして提供することができる。
【００７７】
なお、プログラムは、上述したようなリムーバブル記録媒体１１１からコンピュータにインストールする他、ダウンロードサイトから、ディジタル衛星放送用の人工衛星を介して、コンピュータに無線で転送したり、LAN(Local Area Network)、インターネットといったネットワークを介して、コンピュータに有線で転送し、コンピュータでは、そのようにして転送されてくるプログラムを、通信部１０８で受信し、内蔵するハードディスク１０５にインストールすることができる。
【００７８】
コンピュータは、CPU(Central Processing Unit)１０２を内蔵している。CPU１０２には、バス１０１を介して、入出力インタフェース１１０が接続されており、CPU１０２は、入出力インタフェース１１０を介して、ユーザによって、キーボードや、マウス、マイク等で構成される入力部１０７が操作等されることにより指令が入力されると、それにしたがって、ROM(Read Only Memory)１０３に格納されているプログラムを実行する。あるいは、また、CPU１０２は、ハードディスク１０５に格納されているプログラム、衛星若しくはネットワークから転送され、通信部１０８で受信されてハードディスク１０５にインストールされたプログラム、またはドライブ１０９に装着されたリムーバブル記録媒体１１１から読み出されてハードディスク１０５にインストールされたプログラムを、RAM(Random Access Memory)１０４にロードして実行する。これにより、CPU１０２は、上述したフローチャートにしたがった処理、あるいは上述したブロック図の構成により行われる処理を行う。そして、CPU１０２は、その処理結果を、必要に応じて、例えば、入出力インタフェース１１０を介して、LCD(Liquid Crystal Display)やスピーカ等で構成される出力部１０６から出力、あるいは、通信部１０８から送信、さらには、ハードディスク１０５に記録等させる。
【００７９】
ここで、本明細書において、コンピュータに各種の処理を行わせるためのプログラムを記述する処理ステップは、必ずしもフローチャートとして記載された順序に沿って時系列に処理する必要はなく、並列的あるいは個別に実行される処理（例えば、並列処理あるいはオブジェクトによる処理）も含むものである。
【００８０】
また、プログラムは、１のコンピュータにより処理されるものであっても良いし、複数のコンピュータによって分散処理されるものであっても良い。さらに、プログラムは、遠方のコンピュータに転送されて実行されるものであっても良い。
【００８１】
なお、本発明の実施の形態は、上述した実施の形態に限定されるものではなく、本発明の要旨を逸脱しない範囲において種々の変更が可能である。
【図面の簡単な説明】
【００８２】
【図１】本発明を適用したデータ圧縮装置の構成例を示すブロック図である。
【図２】図１の画像処理回路の動作を説明するフローチャートである。
【図３】画像処理の例を示す図である。
【図４】他の画像処理の例を示す図である。
【図５】他の画像処理の例を示す図である。
【図６】他の画像処理の例を示す図である。
【図７】他の画像処理の例を示す図である。
【図８】他の画像処理の例を示す図である。
【図９】他の画像処理の例を示す図である。
【図１０】他の画像処理の例を示す図である。
【図１１】他の画像処理の例を示す図である。
【図１２】他の画像処理の例を示す図である。
【図１３】他の画像処理の例を示す図である。
【図１４】本発明を適用したコンピュータの一実施の形態の構成例を示すブロック図である。
【符号の説明】
【００８３】
１  蓄積メモリ，  ２  読み出し制御部，  ３  圧縮処理回路，  ４  伸張処理回路，  ５  画像処理回路，  ６  画像処理制御部，  ７  スイッチ，  ８  表示画像制御部，  １０１  バス，  １０２  CPU，  １０３  ROM，  １０４  RAM，  １０５  ハードディスク，  １０６  出力部，  １０７  入力部，  １０８  通信部，  １０９  ドライブ，  １１０  入出力インタフェース，  １１１  リムーバブル記録媒体
【図１】
2008072595.tif 000003
【図２】
2008072595.tif 000004
【図３】
2008072595.tif 000005
【図４】
2008072595.tif 000006
【図５】
2008072595.tif 000007
【図６】
2008072595.tif 000008
【図７】
2008072595.tif 000009
【図８】
2008072595.tif 000010
【図９】
2008072595.tif 000011
【図１０】
2008072595.tif 000012
【図１１】
2008072595.tif 000013
【図１２】
2008072595.tif 000014
【図１３】
2008072595.tif 000015
【図１４】
2008072595.tif 000016